(57)【要約】【課題】  本発明は、内容液の注出量が適量に制御され、安心して便利に使用することができる櫛付きキャップの提供を目的としている。【解決手段】  容器本体の口筒部に密に組付く組付き筒の上端に、内鍔状の頂壁を介して起立筒を立設し、この起立筒の上端に設けた頂板の上面に複数の櫛歯片を左右に整列した状態で起立設し、この櫛歯片が、上部に隣接する櫛歯片間に内容液を注出するための注出孔を設けると共に、注出孔から頂板を貫通して起立筒により形成される中空部に連通する注出路を縦方向に有する構成とした櫛付きキャップにおいて、起立筒の内側に有頂筒状の内筒部材を密周接状に嵌入組付き固定し、この内筒部材の頂壁に流路孔を貫設すると共に、この頂壁上に注出路の下端部に挿入可能にピン片を起立設し、このピン片の注出路の下端部への挿入により流路抵抗を調整する構成とする。【選択図】              図１
2010005313.tif 000002
【特許請求の範囲】
【請求項１】
容器本体(31)の口筒部(32)に密に組付く組付き筒(3)の上端に、内鍔状の頂壁(4)を介して起立筒(7)を立設し、該起立筒(7)の上端に設けた頂板(8)の上面に複数の櫛歯片を(11)を左右に整列した状態で起立設し、該櫛歯片(11)が、上部に隣接する櫛歯片(11)間に内容液を注出するための注出孔(12)を設けると共に、該注出孔(12)から、前記頂板(8)を貫通して起立筒(7)で形成される中空部(9)に連通する注出路(13)を縦方向に形成した構成を有する櫛付キャップであって、前記起立筒(7)の内側に有頂筒状の内筒部材(21)を密周接状に嵌入組付き固定し、前記内筒部材(21)の頂壁(23)に前記中空部(9)を介して注出路(13)に連通する流路孔(24)を貫設すると共に、該頂壁(23)上に前記注出路(13)の下端部に挿入可能にピン片(25)を起立設し、前記ピン片(25)の前記注出路(13)の下端部への挿入により流路抵抗を調整する構成としたことを特徴とする櫛付きキャップ。
【請求項２】
複数の櫛歯片(11)において、それぞれの注出路(13)に対して挿入するピン片(25)の径を決めて、注出路(13)毎の流路抵抗を調整する構成とした請求項１記載の櫛付きキャップ。
【発明の詳細な説明】
【技術分野】
【０００１】
本発明は、容器本体に収納された白髪染め液やヘアマニキュア等の内容液を、容器本体から頭髪に直接塗布すべく構成した櫛付きキャップに関するものである。
【背景技術】
【０００２】
特許文献１には、スクイズ性を有する容器本体にキャップとして組付けられ、容器本体の白髪染め液やヘアマニキュア等の内容液を直接頭髪に塗布することができる様にした櫛付きキャップについての技術が開示されている。
【特許文献１】特開２００２−１４１９２７号公報
【０００３】
図３は、この種の櫛付きキャップ１を壜体状のスクイズ性を有する容器本体３１の口筒部３２に組付き固定した注出容器の全体斜視図である。
図４は図３の注出容器の櫛付きキャップ１近傍の半縦断正面図で、この櫛付きキャップ１は容器本体３１の口筒部３２に密に組付く組付き筒３の上端に、内鍔状の頂壁４を介して前後に偏平な起立筒７を立設し、この起立筒７の上端に設けた頂板８の上面に複数の櫛歯片１１を左右に整列した状態で起立設している。
【０００４】
そして、各櫛歯片１１は、上部に横方向に貫通状に注出孔１２を設けると共に、この注出孔１１から起立筒７で形成される中空部９に連通する注出路１３を縦方向に貫設したものであって、内容液は注出路１３を経て注出孔１１から隣接する櫛歯片１１の間に注出される。
なお、この種の注出キャップ１は射出成形により一体成形することもできるが、一体成形に起因する成形品形状の制限や、射出成形の難易度、製造コストのバランスを考えて、複数の櫛歯片１１を櫛歯体として別部材とし、起立筒７の上端部に組付き固定したものとすることもできる。
【発明の開示】
【発明が解決しようとする課題】
【０００５】
ここで、上記説明したような櫛付きキャップ１では、内容液を注出する際、特に内容液の粘度が低い場合等で、液の注出量が多すぎて、注出液が櫛歯片１１の間に保持できずに外部に垂れ流れてしまう等の問題がある。
また、たとえば多数の櫛歯片を並列状に起立設したものでは、中央部と左右端部とで注出量が異なり、使い難いと云う問題もある。
【０００６】
上記のように、液の注出量が多すぎる場合には、注出孔１２や注出路１３の流路径を小さくすることで対応可能である。
しかしながら、内容液を注出するための櫛歯片１１に形成される注出孔１２と注出路１３とは射出成形でピン部材を有するコア金型を用いて形成するため、コアとなるピン部材の径を小さくするのには、その強度の点、あるいは金型キャビティ中での位置合せの点から自ずと限界があり、上記のような注出量に係る問題に対応するにも限界があった。
【０００７】
本発明は、上記した従来技術における問題点に鑑み創案されたもので、
櫛付きキャップにおける内容液の注出量を高度に制御することを技術的課題とし、もって内容液の注出量が適量に制御され、安心して便利に使用することができる櫛付きキャップの提供を目的とする。
【課題を解決するための手段】
【０００８】
上記技術的課題を解決する手段のうち、本発明の櫛付きキャップに係る主たる構成は、
容器本体の口筒部に密に組付く組付き筒の上端に、内鍔状の頂壁を介して起立筒を立設し、この起立筒の上端に設けた頂板の上面に複数の櫛歯片を左右に整列した状態で起立設し、この櫛歯片が、上部に隣接する櫛歯片間に内容液を注出するための注出孔を設けると共に、注出孔から頂壁を貫通して起立筒により形成される中空部に連通する注出路を縦方向に形成した構成を有する櫛付きキャップにおいて、
起立筒の内側に有頂筒状の内筒部材を密周接状に嵌入組付き固定し、
この内筒部材の頂壁に中空部を介して注出路に連通する流路孔を貫設すると共に、この頂壁上に注出路の下端部に挿入可能にピン片を起立設し、
このピン片の注出路の下端部への挿入により流路抵抗を調整する構成とする、
と云うものである。
【０００９】
上記構成の櫛付きキャップでは、内筒部材で、起立筒により形成される中空部は上下に分割されるが、容器本体から流入する内容液は、起立筒により形成される下中空部を経て、内筒部材の頂壁に貫通形成された流路孔を通り、内筒部材の頂壁と起立筒の頂板の間に位置する上中空部に流入し、
そして、注出路とこの注出路の下端部に挿入したピン片の隙間を流動し、
さらに注出路を経て、注出口から隣接する櫛歯片の間に注出される。
【００１０】
そして上記構成により、注出路の下端部に挿入するピン片の径により、注出路の流入口近傍での流路抵抗を調整することができ、この調整により内容液の注出量を適度に制御することが可能であり、流量を小さくするために射出成形金型におけるコア金型のピン部材の径を限界以下に小さくする必要はなく、ピン部材の破損や、ピン部材の位置出しに係る問題をなくして、安定した生産性を確保することができる。
【００１１】
また、ピン片の径を各種変えた内筒部材を用意しておくことにより、粘度の異なる内容液を収納する製品にも容易に対応することができる。
【００１２】
本発明の櫛付きキャップに係る他の構成は、上記主たる構成において、複数の櫛歯片において、それぞれの注出路に対して挿入するピン片の径をそれぞれ決めて、注出路毎の流路抵抗を調整する構成とする、と云うものである。
【００１３】
上記構成によれば、複数の注出路に対して挿入するピン片の径をそれぞれ決めることにより、櫛歯片毎の流量の調整が可能であり、
たとえば多数の櫛歯片を並列状に起立設した櫛付きキャップで、中央部と左右端部とで注出量が異り、使い難いと云う問題も解消することが可能となる。
ここで、それぞれの注出路の径は一定とすることもできるし、注出路毎に径を変えることもできる。また、ある注出路にはピン片を挿入しない構成とすることもできる。
【００１４】
また、ピン片の先端部分をテーパー状として、ピン片の起立高さや、ピン片の基部となる頂壁をテーパー状の形状とすることにより注出路へのこのピン片の先端部の挿入量を変えてそれぞれの注出路毎に流量を制御することもできる。
【発明の効果】
【００１５】
本発明の櫛付きキャップは上述したようなものであり、
主たる構成を有するものにあっては、注出路の下端部に挿入するピン片の径により、注出路の流入口近傍での流路抵抗を調整することができ、この調整により内容液の注出量を適度に制御することが可能であり、流量を小さくするために射出成形金型におけるコア金型のピン部材の径を限界以下に小さくする必要はなく、ピン部材の破損や、ピン部材の位置出しに係る問題をなくして、安定した生産性を確保することができる。
また、また、ピン片の径を各種変えた内筒部材を用意しておくことにより、粘度の異なる内容液を収納する製品にも容易に対応することができる。
【発明を実施するための最良の形態】
【００１６】
以下、本発明の実施の形態を、実施例に沿って、図面を参照しながら説明する。
図１、図２は本発明の櫛付きキャップの一実施例を示すものであり、図１は半縦断正面図、図２櫛歯片１１の注出路１３部分での部分縦断側面図である。
本発明による櫛付きキャップ１は、図３に見られるようにスクイズ性を有する容器本体３１の口筒部３２組付き固定して使用されるものである。
この櫛付きキャップ１は射出成形により一体成形したものであり、容器本体３１の口筒部３２に外装螺合する組付き筒３を有し、この組付き筒３の上端に内鍔状に連設された頂壁４の下面には、口筒部３２の開口部に密嵌入する短円筒状のシール筒片５を垂下設している。
【００１７】
また、組付き筒３の上端に頂壁４を介して上端を平板状の頂板８で塞いで前後に偏平となった起立筒７を起立設している。
この頂板８の上面には複数（本実施例では６本）の櫛歯片１１を左右に整列した状態で起立設すると共に、その左右の端部には２本ずつ計４本の枠櫛歯片１５を起立設している。
【００１８】
この中、各櫛歯片１１には、上部に、横方向に、隣接する櫛歯片１１間に内容液を注出するための注出孔１２が形成されている。また、この注出孔１２から、頂板８を貫通して起立筒７により形成される中空部９に連通する注出路１３を縦方向に形成している。
【００１９】
一方、枠櫛歯片１５は、櫛歯片１１を保護する機能を発揮するものであり、各櫛歯片１１と同一形状および寸法で成形されており、櫛歯片１１同様に注出孔１２が形成されているが、注出路１３は形成されていない。
ここで、このように枠櫛歯片１５に注出孔１２を形成するのは、射出成形時に、金型内でコア金型のピン部材を横方向から挿通させるためである。
【００２０】
次に、この櫛付きキャップ１は、起立筒７の内側、すなわち中空部９に有頂筒状の内筒部材２１を密周接状に嵌入組付き固定している。
この内筒部材２１の周壁２２の下端部に周状に係止周状２６を形成しており、この係止周状２６が、起立筒７の下端部に形成されている係止凹部７ａにアンダーカット状に組付いて、内筒部材２１が密周接状に嵌入組付き固定すると共に、この内筒部材２１の嵌入限界を決めている。
【００２１】
また、内筒部材２１により中空部９は上下に区画されるが、内筒部材２１の頂壁２３には上中空部９ａを介して注出路１３に連通する流路孔２４を貫設している。また、この頂壁２３上には各櫛歯片１１の注出路１３の下端部に挿入する複数（６本）のピン片２５を起立設している。
【００２２】
そして上記構成の櫛付きキャップ１では、容器本体から流入する内容液は、下中空部９ｂを経て、内筒部材２１の頂壁に貫通形成された流路孔２４を通り、内筒部材２１の頂壁２３と起立筒７の頂板８の間に位置する上中空部９ａに流入し、そして、注出路１３とこの注出路１３の下端部に挿入したピン片２５により形成される円筒状の隙間を流動し、さらに注出路１３を経て、注出口１２から隣接する櫛歯片１１の間に注出される。
ここで、注出路１３とピン片２５により形成される円筒状の隙間の大きさにより流路抵抗を調整して内容液の注出量を高度に制御することができる。
【００２３】
以上、本発明の実施の形態を実施例に沿って説明したが、本発明の実施の形態は上記実施例に限定されるものではない。
たとえば、上記実施例では櫛付きキャップが一体成形品である例を説明したが、一体成形における成形性や形状の制限を考慮して、複数の櫛歯片を一体にした櫛歯体を別部材として、起立筒に組付き固定したタイプの櫛付きキャップとすることもできる。
【００２４】
また、上記実施例ではピン片の径を一定にしたが、各櫛歯片についてピン径を変えて、それぞれの注出路における流路抵抗を調整して、内容液を各櫛歯片の間に均一に注出するような構成とすることもできる。
また、上記実施例の櫛付きキャップは多数の櫛歯片を一列に並べて起立設したものであるが、複数の列としたり、千鳥足状に起立設する構成とすることもできる。
【００２５】
また、上記実施の図１に示した櫛付きキャップ１は櫛歯片１１を成形する金型キャビティ内に横方向の型ピン部材を挿通して横方向の注出孔１２を形成したものであるが、この注出孔１２は、櫛歯片１１を形成する金型キャビティと縦方向の注出路１３を形成する縦方向の型ピンの上端部を突き合わせることにより形成することもできる。
【産業上の利用可能性】
【００２６】
以上説明したように、本発明の櫛付きキャップは、内容液の粘度によってピン片により流路抵抗を調整して内容液の注出量を高度に制御できるものであり、白髪染め液やヘアマニキュア等の注出容器製品での幅広い使用展開が期待される。
【図面の簡単な説明】
【００２７】
【図１】本発明の櫛付きキャップの一実施例を示す半縦断正面図である。
【図２】図１の櫛付きキャップの部分縦断側面図である。
【図３】従来の櫛付き容器の例を示す全体斜視図である。
【図４】櫛付きキャップの従来例を示す半縦断正面図である。
【符号の説明】
【００２８】
１  ；櫛付きキャップ
３  ；組付き筒
４  ；頂壁
５  ；シール筒片
７  ；起立筒
７ａ；係止凹部
８  ；頂板
９  ；中空部
９ａ；上中空部
９ｂ；下中空部
１１；櫛歯片
１２；注出孔
１３；注出路
１５；枠櫛歯片
２１；内筒部材
２２；周壁
２３；頂壁
２４；流路孔
２５；ピン片
２６；係止周状
３１；容器体
３２；口筒部
【図１】
2010005313.tif 000003
【図２】
2010005313.tif 000004
【図３】
2010005313.tif 000005
【図４】
2010005313.tif 000006